(57)【特許請求の範囲】
【請求項１】
電気外科システムであって、
電気外科エネルギーを組織に供給するように適合された電気外科発電機と、
該電気外科発電機に動作可能に結合され、該電気外科発電機に接続された少なくとも１つの負荷に電力を送達するように構成されている電力供給源と、
マイクロプロセッサを含むコントローラであって、該コントローラは、該電気外科発電機に結合され、該電気外科発電機の出力を制御するように構成されている、コントローラと、
該コントローラと動作可能に連絡し、少なくとも１つの論理デバイスと少なくとも１つの光ファイバチャネルとを含む光ファイバ接続回路と
を備え、
該光ファイバ接続回路は、絶縁を提供することによって、該電気外科発電機と動作可能に関連付けられた複数の構成要素に関連付けられた漏洩電流を軽減するように構成されており、
該発電機に関連付けられた該複数の構成要素は、電圧センサおよび電流センサを含み、
該電圧センサおよび該電流センサの各々は、該発電機のＲＦ出力モジュールに接続されている、電気外科システム。
【請求項２】
前記少なくとも１つの論理デバイスは、複素プログラマブル論理デバイス、フィールドプログラマブルゲートアレイ、およびプロセッサコアを含むフィールドプログラマブルゲートアレイからなる群から選択される、請求項１に記載の電気外科システム。
【請求項３】
前記少なくとも１つの光ファイバチャネルは、イーサネット（登録商標）、ＲＳ２３２／４２２／４８５およびＳ／ＰＤＩＦからなる群から選択されるデータリンクプロトコルに基づいている、請求項１に記載の電気外科システム。
【請求項４】
前記発電機に関連付けられた前記複数の構成要素のうちの少なくとも１つは、トグルスイッチ、分圧器ネットワークおよびポテンショメータからなる群から選択される起動デバイスを含む、請求項１に記載の電気外科システム。
【請求項５】
前記発電機に関連付けられた前記複数の構成要素のうちの少なくとも１つは、ポート選択およびリレー制御のうちの１つを含む、請求項１に記載の電気外科システム。
【請求項６】
前記光ファイバ接続回路は、前記コントローラと前記論理デバイスとの間に動作可能に配置された少なくとも１つのバッファをさらに含む、請求項１に記載の電気外科システム。
【請求項７】
電気外科システムと共に使用するように構成された電気外科発電機であって、
該電気外科発電機に動作可能に結合され、該電気外科発電機に接続された少なくとも１つの負荷に電力を送達するように構成されている電力供給源と、
マイクロプロセッサを含むコントローラであって、該コントローラは、該電気外科発電機に結合され、該電気外科発電機の出力を制御するように構成されている、コントローラと、
該コントローラと動作可能に連絡し、少なくとも１つの論理デバイスと少なくとも１つの光ファイバチャネルとを含む光ファイバ接続回路と
を備え、
該光ファイバ接続回路は、絶縁を提供することによって、該電気外科発電機と動作可能に関連付けられた複数の構成要素に関連付けられた漏洩電流を軽減するように構成されており、
該発電機に関連付けられた該複数の構成要素は、電圧センサおよび電流センサを含み、
該電圧センサおよび該電流センサの各々は、該発電機のＲＦ出力モジュールに接続されている、電気外科発電機。
【請求項８】
前記少なくとも１つの論理デバイスは、複素プログラマブル論理デバイス、フィールドプログラマブルゲートアレイ、およびプロセッサコアを含むフィールドプログラマブルゲートアレイからなる群から選択される、請求項７に記載の電気外科発電機。
【請求項９】
前記少なくとも１つの光ファイバチャネルは、イーサネット（登録商標）、ＲＳ２３２／４２２／４８５およびＳ／ＰＤＩＦからなる群から選択されるデータリンクプロトコルに基づいている、請求項７に記載の電気外科発電機。
【請求項１０】
前記発電機に関連付けられた前記複数の構成要素のうちの少なくとも１つは、トグルスイッチ、分圧器ネットワークおよびポテンショメータからなる群から選択される起動デバイスを含む、請求項７に記載の電気外科発電機。
【請求項１１】
前記発電機に関連付けられた前記複数の構成要素のうちの少なくとも１つは、ポート選択およびリレー制御のうちの１つを含む、請求項７に記載の電気外科発電機。
【請求項１２】
前記光ファイバ接続回路は、前記コントローラと前記論理デバイスとの間に動作可能に配置された少なくとも１つのバッファをさらに含む、請求項７に記載の電気外科発電機。
【発明の詳細な説明】
【技術分野】
【０００１】
（背景）
（技術分野）
本開示は、電気外科発電機に関し、より詳細には、電気外科発電機に関連する高周波数および低周波数漏洩電流を軽減するように構成されている光ファイバ補正回路を含む電気外科発電機に関する。
【背景技術】
【０００２】
（関連技術の説明）
電気外科手順を行う際に使用するように構成されている電気外科発電機（例えば、無線周波数発電機）は当該分野で周知である。漏洩電流、すなわち、電子デバイスと接地との間の意図されない電流は、ＲＦデバイス（例えば、ＲＦ電気外科発電機／電極システム）において重大な関心事である。漏洩電流は、低周波数漏洩電流に起因し得、この低周波数漏洩電流は、電力供給源、患者のリード線および／または１つ以上の出力に関連付けられ得る。漏洩電流は、また、高周波数漏洩電流（例えば、双極漏洩電流および／または単極漏洩電流）に起因し得、これらはそれぞれ、ＲＦ電気外科発電機に関連付けられたエネルギープラットフォーム端子に存在し得る。
【０００３】
漏洩電流を低減し、そして／または軽減する方法は、当該分野で公知である。より詳細には、漏洩電流を軽減する方法は、電気外科発電機のＲＦ出力モジュールにおいて静電シールドの形態で１つ以上の絶縁バリアを提供することを含み得る。ＲＦ出力モジュールは、また、静電シールドとして作用する結合回路を形成するように一緒に結合された２つの変圧器を含み得る。この例において、リレースイッチは、ＲＦ出力モジュールに動作可能に接続され得、第２の出力および／または負荷に動作可能に接続され得る。このリレーは、ＲＦ電気外科発電機と関連付けられた接地電位のシールドに包囲される接触シールドを含み得る。
【０００４】
別の方法は、１つ以上の固定されていない電源によって電力供給された光学的に絶縁されたバリアをリレーに追加することによって、上記のリレーを絶縁することを含み得、このことは、ＲＦ電気外科発電機の患者側にリレーを効率的に配置し、ＲＦ出力モジュールにおける静電シールドに対する必要性を取り除く。
【０００５】
上記の方法の不利点は、コスト、変圧器効率および／またはリレー効率、サイズなどを含み得る。さらに、結合回路が静電シールドとして使用される例において、シールド自体の電圧は、シールドの有効な開口を表す。この有効な開口は、隣接する電気回路に望ましくない電気的効果を引き起こし得、このことが、当業者によって認識され得るように、ＲＦ電気外科発電機を、ユーザおよび／または製造業者によって意図されない態様で機能させる。
【発明の概要】
【課題を解決するための手段】
【０００６】
（概要）
本開示は、電気外科システムを提供する。電気外科システムは、電気外科エネルギーを組織に供給するように適合された電気外科発電機を含む。電力供給源は、電気外科発電機を動作可能に結合し、電気外科発電機に接続された１つ以上のタイプの負荷に電力を送達するように構成されている。電気外科発電機は、マイクロプロセッサを含むコントローラを含み、このコントローラは、電気外科発電機に結合され、電気外科発電機の出力を制御するように構成されている。光ファイバ接続回路は、コントローラと動作可能な連絡をし、１つ以上のタイプの論理デバイスと、１つ以上のタイプの光ファイバチャネルとを含む。光ファイバ接続回路は、絶縁を提供することによって電気外科発電機と動作可能に関連付けられた複数の構成要素のうちの少なくとも１つと関連付けられた漏洩電流を軽減するように構成されている。
【０００７】
複数の実施形態において、１つ以上のタイプの論理デバイスは、複素プログラマブル論理デバイスおよびフィールドプログラマブルゲートアレイからなる群から選択される。
【０００８】
複数の実施形態において、１つ以上のタイプの光ファイバチャネルは、少なくともイーサネット（登録商標）、ＲＳ２３２／４２２／４８５およびＳ／ＰＤＩＦからなる群から選択されるデータリンクプロトコルに基づいている。
【０００９】
複数の実施形態において、発電機と関連付けられた複数の構成要素は、ボタンおよびスライダ制御のうちの１つ、ポート選択およびリレー制御のうちの１つ、ならびに電圧および電流センサのうちの１つを含む。
【００１０】
複数の実施形態において、光ファイバ接続回路は、コントローラと論理デバイスとの間に動作可能に配置された１つ以上のバッファをさらに含む。
【００１１】
複数の実施形態において、電圧センサおよび電流センサの各々は、発電機のＲＦ出力モジュールに接続される。
【００１２】
複数の実施形態において、コントローラは、電気外科発電機内に動作可能に配置される。
【００１３】
本開示は、電気外科エネルギーを組織に供給するように適合された電気外科発電機を提供する。電気外科発電機は、電気外科発電機に接続された１つ以上のタイプの負荷に電力を送達するように構成されている電力供給源を含む。電気外科発電機は、マイクロプロセッサを含むコントローラを含み、このコントローラは、電気外科発電機に結合され、電気外科発電機の出力を制御するように構成されている。光ファイバ接続回路は、コントローラと動作可能に連絡し、１つ以上のタイプの論理デバイスと１つ以上のタイプの光ファイバチャネルとを含む。光ファイバ接続回路は、絶縁を提供することによって、電気外科発電機に動作可能に関連付けられた複数の構成要素のうちの少なくとも１つと関連付けられた漏洩電流を軽減するように構成されている。
【００１４】
例えば、本発明は以下の項目を提供する。
（項目１）
電気外科システムであって、
電気外科エネルギーを組織に供給するように適合された電気外科発電機と、
該電気外科発電機に動作可能に結合され、該電気外科発電機に接続された少なくとも１つの負荷に電力を送達するように構成されている電力供給源と、
マイクロプロセッサを含むコントローラであって、該コントローラは該電気外科発電機に結合され、該電気外科発電機の出力を制御するように構成されている、コントローラと、
該コントローラと動作可能に連絡し、少なくとも１つの論理デバイスと少なくとも１つの光ファイバチャネルとを含む、光ファイバ接続回路と
を備え、該光ファイバ接続回路は、絶縁を提供することによって、該電気外科発電機と動作可能に関連付けられた複数の構成要素のうちの少なくとも１つと関連付けられた漏洩電流を軽減するように構成されている、電気外科システム。
（項目２）
上記少なくとも１つの論理デバイスは、複素プログラマブル論理デバイス、フィールドプログラマブルゲートアレイ、およびプロセッサコアを含むフィールドプログラマブルゲートアレイからなる群から選択される、上記項目に記載の電気外科システム。
（項目３）
上記少なくとも１つの光ファイバチャネルは、イーサネット（登録商標）、ＲＳ２３２／４２２／４８５およびＳ／ＰＤＩＦからなる群から選択されるデータリンクプロトコルに基づいている、上記項目のいずれかに記載の電気外科システム。
（項目４）
上記発電機に関連付けられた上記複数の構成要素のうちの少なくとも１つは、トグルスイッチ、分圧器ネットワークおよびポテンショメータからなる群から選択される起動デバイスを含む、上記項目のいずれかに記載の電気外科システム。
（項目５）
上記発電機に関連付けられた上記複数の構成要素のうちの少なくとも１つは、ポート選択およびリレー制御のうちの１つを含む、上記項目のいずれかに記載の電気外科システム。
（項目６）
上記発電機に関連付けられた上記複数の構成要素のうちの少なくとも１つは、電圧センサおよび電流センサのうちの少なくとも１つを含む、上記項目のいずれかに記載の電気外科システム。
（項目７）
上記電圧センサおよび電流センサの各々が、上記発電機のＲＦ出力モジュールに接続されている、上記項目のいずれかに記載の電気外科システム。
（項目８）
上記光ファイバ接続回路は、上記コントローラと上記論理デバイスとの間に動作可能に配置された少なくとも１つのバッファをさらに含む、上記項目のいずれかに記載の電気外科システム。
（項目９）
電気外科システムと共に使用するように構成された電気外科発電機であって、
該電気外科発電機に動作可能に結合され、該電気外科発電機に接続された少なくとも１つの負荷に電力を送達するように構成されている電力供給源と、
マイクロプロセッサを含むコントローラであって、該コントローラは該電気外科発電機に結合され、該電気外科発電機の出力を制御するように構成されている、コントローラと、
該コントローラと動作可能に連絡し、少なくとも１つの論理デバイスと少なくとも１つの光ファイバチャネルとを含む、光ファイバ接続回路と
を備え、該光ファイバ接続回路は、絶縁を提供することによって、該電気外科発電機と動作可能に関連付けられた複数の構成要素のうちの少なくとも１つと関連付けられた漏洩電流を軽減するように構成されている、電気外科発電機。
（項目１０）
上記少なくとも１つの論理デバイスは、複素プログラマブル論理デバイス、フィールドプログラマブルゲートアレイ、およびプロセッサコアを含むフィールドプログラマブルゲートアレイからなる群から選択される、上記項目に記載の電気外科発電機。
（項目１１）
上記少なくとも１つの光ファイバチャネルは、イーサネット（登録商標）、ＲＳ２３２／４２２／４８５およびＳ／ＰＤＩＦからなる群から選択されるデータリンクプロトコルに基づいている、上記項目のいずれかに記載の電気外科発電機。
（項目１２）
上記発電機に関連付けられた上記複数の構成要素のうちの少なくとも１つは、トグルスイッチ、分圧器ネットワークおよびポテンショメータからなる群から選択される起動デバイスを含む、上記項目のいずれかに記載の電気外科発電機。
（項目１３）
上記発電機に関連付けられた上記複数の構成要素のうちの少なくとも１つは、ポート選択およびリレー制御のうちの１つを含む、上記項目のいずれかに記載の電気外科発電機。
（項目１４）
上記発電機に関連付けられた上記複数の構成要素のうちの少なくとも１つは、電圧センサおよび電流センサのうちの少なくとも１つを含む、上記項目のいずれかに記載の電気外科発電機。
（項目１５）
上記電圧センサおよび電流センサの各々が、上記発電機のＲＦ出力モジュールに接続されている、上記項目のいずれかに記載の電気外科発電機。
（項目１６）
上記光ファイバ接続回路は、上記コントローラと上記論理デバイスとの間に動作可能に配置された少なくとも１つのバッファをさらに含む、上記項目のいずれかに記載の電気外科発電機。
【００１５】
（摘要）
電気外科システムが提供される。電気外科システムは、電気外科エネルギーを組織に供給するように適合された電気外科発電機を含む。電力供給源は、電気外科発電機に動作可能に結合し、電気外科発電機に接続された１つ以上のタイプの負荷に電力を送達するように構成されている。電気外科発電機は、コントローラを含み、このコントローラは、電気外科発電機に結合され、電気外科発電機の出力を制御するように構成されているマイクロプロセッサを含む。光ファイバ接続回路は、コントローラと動作可能に連絡し、１つ以上のタイプの論理デバイスと、１つ以上のタイプの光ファイバチャネルとを含む。光ファイバ接続回路は、絶縁を提供することによって、電気外科発電機と動作可能に関連付けられた複数の構成要素のうちの少なくとも１つと関連付けられた漏洩電流を軽減するように構成されている。
【００１６】
本開示の様々な実施形態が図面を参照して、以下に本明細書において記載される。
【図面の簡単な説明】
【００１７】
【図１Ａ】図１Ａは、本開示の一実施形態に従う、単極電気外科システムの概略的なブロック図である。
【図１Ｂ】図１Ｂは、本開示の別の実施形態に従う、双極電気外科システムの概略的なブロック図である。
【図２】図２は、本開示の一実施形態に従う、発電機の概略的なブロック図である。
【図３】図３は、図２の発電機の特異的な構成要素の概略的なブロック図である。
【発明を実施するための形態】
【００１８】
（詳細な説明）
本開示の特定の実施形態が、添付の図面を参照して、以下で本明細書において記載される。以下の説明において、周知の技術または構成は、不必要な詳細で本開示を不明瞭にすることを避けるために詳細には記載されない。
【００１９】
本開示に従う発電機は、脈管シール手順を含む、単極電気外科手順と双極電気外科手順とを実行し得る。発電機は、様々な電気外科器具（例えば、単極活性電極、リターン電極、双極電気外科鉗子、フットスイッチ等）とインターフェースを取るための複数の出力を含み得る。さらに、発電機は、様々な電気外科モード（例えば、切断、ブレンド、分割等）と手順（例えば、単極、双極、管腔シール）のために特に適した無線周波数電力を生成するように構成された電子回路を含む。
【００２０】
上述のように、ＲＦ発電機に関連付けられた漏洩電流は、一部の場合において問題となり得る。典型的にはＲＦ発電機に関連付けられた漏洩電流を低減および／または軽減するために、本開示の発電機は、発電機の低電圧電源に動作可能に関連付けられた光ファイバ接続回路を利用する。より具体的には、光ファイバ接続回路は、発電機の高電圧電源側に関連付けられたＲＦアンプ出力モジュールと発電機の低電圧電源側とにおいて一次光ファイバ絶縁バリアを提供する。
【００２１】
図１Ａは、本開示の一実施形態に従う発電機２０とともに用いるように構成されている単極電気外科システム１の概略図を示している。システム１は、患者Ｐの組織を処置する（例えば、電気外科切断、アブレーション等）ための１つ以上の電極を有する単極電気外科器具２を含む。より具体的には、電気外科ＲＦエネルギーは、発電機２０の活性端子３４（図２）に接続された供給ライン４を介して発電機２０によって器具２に供給され、器具２が、組織を凝固すること、アブレートすることおよび／またはその他の処置を行うことを可能にする。エネルギーは、発電機２０のリターン端子３６（図２）におけるリターンライン８を経由してリターン電極６を介して発電機２０に戻される。活性端子３４およびリターン端子３６は、器具２およびリターン電極６のプラグ（明示的に示されていない）とインターフェースを取るように構成されたコネクタであり、これらは、それぞれ供給ライン４およびリターンライン８の端部において配置される。
【００２２】
図１Ｂは、本開示に従う発電機２０とともに用いるように構成された双極電気外科システム３の概略図である。システム３は、患者Ｐの組織を処置するための１つ以上の電極を有する双極電気外科鉗子１０を含む。電気外科鉗子１０は、活性電極１４およびリターン電極１６のそれぞれがそこに配置された、対向するジョー部材１１および１３を含む。活性電極１４およびリターン電極１６は、ケーブル１８を介して発電機２０に接続され、これは、活性端子３４およびリターン端子３６にそれぞれ結合された（図２）供給ライン４およびリターンライン８を含む。電気外科鉗子１０は、コネクタ２１において発電機２０に接続され、該コネクタ２１は、ケーブル１８の端部において配置された活性端子３４およびリターン端子３６（ピンなどの）のプラグに対する接続を有する。コネクタ２１は、供給ライン４およびリターンライン８からのコンタクトを含む。
【００２３】
図面は、開在性電気外科手順を実行することに用いるために適した電気外科鉗子１０を図示しているが、例えば内視鏡電気外科手順を実行することにおいて用いるために適した電気外科鉗子等の、その他のタイプの電気外科鉗子もまた、本開示の範囲内にあり、発電機２０とともに利用され得る。
【００２４】
発電機２０は、発電機２０を制御するために適切な入力制御（例えば、ボタン、アクチベータ、スイッチ、タッチスクリーン等）を含む。さらに、発電機２０は、ユーザに様々な出力情報（例えば、強度設定、処置完了指標等）を提供するために１つ以上のディスプレイスクリーンを含み得る。制御は、ユーザが、ＲＦエネルギーの電力、波長のパラメータ（例えば、波高率、デューティサイクル等）、および、特定のタスク（例えば、凝固、組織シール、強度設定等）のために適した所望の波長を達成するためのその他のパラメータを調整することを可能にする。
【００２５】
図２は、コントローラ２４およびＤＣ電源２６を有する発電機２０の概略的なブロック図を示している。ＤＣ電源２６は、従来のＡＣ供給源（例えば、壁の電気コンセント）に接続されており、低電圧電源２８（「ＬＶＰＳ」）、高電圧電源３０（「ＨＶＰＳ」）を含む。ＨＶＰＳ３０は、ＲＦ出力ステージ３２（例えば、ＲＦアンプモジュール３２）に高電圧ＤＣ電力を提供し、そしてこれが、高電圧ＤＣ電力をＲＦエネルギーに変換し、ＲＦエネルギーを活性端子３４に送達する。エネルギーは、リターン端子３６を介してそこに戻される。以下でさらに詳細に議論されるように、ＬＶＰＳ２９は、発電機の様々なコンポーネント（例えば、入力制御、ディスプレイ等）に電力を提供する。ＨＶＰＳおよびＬＶＰＳの各々は、ＤＣ電源２６によって供給される電力を増加または低減するように構成された１つ以上のＤＣ−ＤＣ変換器６８を含み得る。実施形態において、発電機２０は、１つ以上の出力係数接続（ＰＦＣ）モジュール６４を含み得、これは、ブーストレギュレータとして機能し得、そして、ＨＶＰＳおよびＬＶＰＳの各々と動作可能に連絡し得る。ＰＦＣモジュール６４は、発電機２０の出力係数を向上させ、そして、入来ライン電圧を一定に調節するように機能する。この目的を踏まえると、ＰＦＣモジュール６４は、任意の数のキャパシタ、コンタクタおよび／またはインダクタを含み得る。
【００２６】
発電機２０は、様々なタイプの電気外科器具（例えば、電気外科的な外科器具２、電気外科鉗子１０等）と適合するように複数のコネクタを含み得る。さらに、発電機２０は、例えばアブレーション、単極または双極切断、凝固等の様々なモードにおいて動作するように構成され得る。発電機２０はまた、コネクタの間のＲＦエネルギーの供給を切り替えるようにスイッチ機構（例えば、リレー）を含み得、その結果、例えば器具２が発電機２０に接続されるときに、単極プラグのみがＲＦエネルギーを受信するようにし得る。
【００２７】
コントローラ２４は、メモリ４０に動作可能に接続されたマイクロプロセッサ３８を含み、該メモリは、揮発性タイプのメモリ（例えば、ＲＡＭ）および／または不揮発性タイプのメモリ（例えば、フラッシュメディア、ディスクメディア等）であり得る。マイクロプロセッサ３８は、ＤＣ電源２６および／またはＲＦ出力ステージ３２に動作可能に接続された出力ポートを含み、マイクロプロセッサ３８が、開制御ループスキームおよび／または閉制御ループスキームのいずれか一方にしたがって発電機２０の出力を制御することを可能にする。当業者は、マイクロプロセッサ３８が、本明細書において議論されている計算を実行するように適合された任意の論理プロセッサ（例えば、制御回路）によって置換され得ることを理解し得る。
【００２８】
図２および３を参照すると、光ファイバ接続回路４２（接続回路４２）は、発電機２０に関連付けられた１つ以上のコンポーネント（例えば、電圧および／または電流センサ、ボタンおよび／またはスライダ制御、ポート選択および／またはリレー制御）に関連付けられた漏洩電流を低減または軽減するように構成される。この目的を踏まえると、接続回路４２は、ＬＶＰＳによって電力供給され、そして、コントローラ２４と動作可能に連絡する。接続回路４２は、１つ以上の光ファイバチャネル４４と、１つ以上の論理デバイス４６とを含む。
【００２９】
論理デバイス４６は、任意の適切な論理デバイスであり得る。図３に示されている実施形態においては、論理デバイス４６は、プログラマブルアレイ論理（ＰＡＬ）デバイスである。実施形態において、ＰＡＬデバイスは、複素プログラマブル論理デバイス（ＣＰＬＤ）およびフィールドプログラマブルゲートアレイ（ＦＰＧＡ）デバイスからなる群から選択され得る。特定の実施形態において、論理デバイス４６は、ＣＰＬＤとＦＰＧＡデバイスとの組み合わせを含み得る。特定の構成の論理デバイス４６は、ユーザのニーズに基づいて変動し得る。例えば、ＦＰＧＡデバイスは、発電機２０の電力出力を監視および／または測定することにおいて高い精度が要求される場合に利用され得る。一実施形態において、ＦＰＧＡは、プロセッサコアを含み得る。逆に、ＣＰＬＤは、発電機２０の電力出力を監視および／または測定することにおいて高い精度が要求されない場合に利用され得る。
【００３０】
論理デバイス４６は、発電機２０のＬＶＰＳ側に動作可能に配置されたＤＣ−ＤＣ変換器６８を介してＤＣ電源２６によって電力供給され得る。論理デバイス４６は、ＬＶＰＳ２８に関連付けられた１つ以上のコンポーネントと動作可能に連絡し得る。より具体的には、論理デバイス４６に関連付けられた複数のピンのうちの１つ以上が、１つ以上の電圧および電流センサ５０、ボタンおよびスライダ制御５２、および／またはポート選択およびリレー制御５４に接続する（図３）。論理デバイス４６のピンは、単一の接地５６に接続される。電圧センサおよび電流センサの各々は、活性端子３４およびリターン端子３６にそれぞれ接続する。
【００３１】
光ファイバチャネル４４は、コントローラ２４に対する双方向データリンクを提供する。光ファイバチャネル４４は、任意の適切なデータリンクプロトコルに基づき得、該プロトコルは、イーサネット（登録商標）、ＲＳ２３２／４２２／４８５、Ｓｏｎｙ／Ｐｈｉｌｉｐｓ  Ｄｉｇｉｔａｌ  Ｉｎｔｅｒｃｏｎｎｅｃｔ  Ｆｏｒｍａｔ（Ｓ／ＰＤＩＦとしてより公知である）等を含むが、これらには限定されない。図３に示されている実施形態において、光ファイバチャネル４４は、イーサネット（登録商標）ケーブル５８の形態であり、論理デバイス４６とコントローラ２４との間のデータリンクを提供する。図３に示されている実施形態において、シャーシ接地６６に接続された第２のＦＰＧＡ６２は、コントローラ２４に動作可能に関連付けられており、コントローラ２４と光ファイバチャネル４４との間の中間インターフェースとして機能する。一実施形態において、第２のＦＰＧＡ６２は、プロセッサコア（例えば、デジタル信号プロセッサ、「ＤＳＰ」）を含み得るか、または、ＣＰＬＤによって置換され得る。１つ以上の送信および受信バッファ（集約的にバッファ６０として参照する）が用いられ、マイクロプロセッサ３９と論理アレイ４６との間のデータフレームの流れを制御する。当業者には理解され得るように、論理デバイス４６および第２のＦＰＧＡ６２、マイクロプロセッサ３８および／またはコントローラ２４の間のバッファ６０の数を増加させることは、論理デバイス４６および第２のＦＰＧＡ６２、マイクロプロセッサ３８および／またはコントローラ２４の間の重いデータ伝送トラフィックの期間の間の発電機の全体的性能を向上させる。
【００３２】
一実施形態においては、ＲＦアンプモジュール３２の入力側を絶縁することが有益であることを証明することができる。この場合では、ＨＶＰＳ３０は、ブーストレギュレータとして機能するＰＦＣモジュールに動作可能に接続されるＤＣ−ＤＣ変換器７０を含み得る（図３）。
【００３３】
使用中に、光ファイバ接続回路４２は、発電機２０の低電圧電源側において、より具体的には、発電機２０に関連付けられた低電圧デジタル側において、絶縁バリアを提供する。光ファイバ接続回路４２の光ファイバチャネル４４は、高電圧測定または低電圧測定のいずれか一方のための理想的な伝送媒体を提供する。さらに、光ファイバ接続チャネル４２およびそれに関連付けられた一体型コンポーネントは、ＨＶＰＳから、例えば、ＲＦ出力ステージおよびそれに関連付けられた電磁気的インターフェース（ＥＭＩ）からの電気的絶縁を提供するように構成され、このＥＭＩは、光ファイバ接続回路４２が、発電機２０の１つ以上のコンポーネントに関連付けられた電圧および電流を測定および／または監視する間に存在し得る。しかしながら、光ファイバの誘電的性質により、接続回路４２およびそれに関連付けられた一体型コンポーネントは、ＥＭＩを受け付けない。すなわち、光ファイバチャネル４４における光ファイバは金属コンポーネントを有しないので、光ファイバチャネル４４は、無線周波数インターフェース（ＲＦＩ）を含むＥＭＩととともにエリア内に据え付けられ得る。
【００３４】
本開示のいくつかの実施形態が図面において示され、かつ／または、本明細書中で議論されてきたが、本開示がそれらに限定されることは意図されていない。というのは、本開示は技術的に許容され、明細書が同様に読まれるような、より広い範囲を意図されているからである。よって、上記の記載は、限定として捉えられるべきではなく、特定の実施形態の単なる例示として捉えられるべきである。当業者は、添付の特許請求の範囲の範囲および精神にあるその他の改変に想到し得る。
【符号の説明】
【００３５】
１  単極電気外科システム
２  単極電気外科器具
４  供給ライン
６  リターン電極
８  リターンライン
１０  双極電気外科鉗子
１１、１３  ジョー部材
１４  活性電極
１６  リターン電極
１８  ケーブル
２０  発電機
２１  コネクタ
Ｐ  患者
【図１Ａ】
0005603173.tif 000002
【図１Ｂ】
0005603173.tif 000003
【図２】
0005603173.tif 000004
【図３】
0005603173.tif 000005